(57)【要約】【課題】塩の粒子間が強く結合し、型くずれしにくい成形盛り塩およびその製造方法を提供する。【解決手段】塩１００質量部に対し、焼きミョウバン０．０６から０．３質量部と、水６質量部を準備し、前記水に前記焼きミョウバンをよく溶かした溶液に、前記塩を混練し、成形型で成形した後、脱型して乾燥させる。前記水に前記焼きミョウバンとともに着色料を添加して、着色された成形盛り塩を製造することができる。焼きミョウバンの水溶液で塩を混練して成形型で成形し、型を抜いて乾燥させるようにしたので、塩の粒子間がミョウバンの結晶により強く結合し、型くずれしにくい成形盛り塩を提供することができる。【選択図】          なし【特許請求の範囲】
【請求項１】
塩１００質量部に対してミョウバンが０．０６から０．３質量部含まれ、所定の形状で成形されていることを特徴とする成形盛り塩。
【請求項２】
塩１００質量部に対し、焼きミョウバン０．０６から０．３質量部と、水６質量部を準備し、前記水に前記焼きミョウバンをよく溶かした溶液に前記塩を混練し、成形型で成形した後、脱型して乾燥させることを特徴とする成形盛り塩の製造方法。
【請求項３】
前記水に前記焼きミョウバンとともに着色料を添加して、着色された成形盛り塩を製造することを特徴とする請求項２記載の成形盛り塩の製造方法。
【発明の詳細な説明】
【０００１】
【発明の属する技術分野】
本発明は、玄関などに置かれる盛り塩の成型品およびその製造方法に関する。
【０００２】
【従来の技術】
従来より、厄除けや客寄せの縁起物として、店や住宅の玄関などに、塩を盛った盛り塩というものが置かれている。従来は、あら塩を山の形に盛って作っているが、面倒であるし、形も定まらない。また、手に塩が付くので、その都度洗う必要がある。
【０００３】
このような不便さを解消するために、特許文献１には、成形器本体の端部に先細りの錐形部を中央部に有する窪みを設けた盛り塩成形器が提案されている。この盛り塩成形器を使用するときは、所定の量の塩（食塩）を用意し、盛り塩成形器の窪みが上になるようにしてその窪みに一杯の塩を入れ、盛り塩をしようとする小皿を被せ、その状態で上下を逆にして盛り塩成形器を上方に持ち上げると小皿の上に盛り塩が成形されるというものである。
また、この外にも、塩を型に入れて焼き、成形したものもある（例えば、白井汽船株式会社製、製品名“風水盛塩「ＧＯＲＩＹＡＫＵ」”、意匠登録第１１２０７１７号公報参照）。
【０００４】
【特許文献１】
実用新案登録第３０８２３３２号公報
【特許文献２】
意匠案登録第１１２０７１７号公報
【０００５】
【発明が解決しようとする課題】
しかしながら、前記の特許文献１に開示された盛り塩成形器で盛り塩を作ると、その盛り塩はたかだか押し固められているだけであるので、盛り塩単独ではすぐに崩壊するので、持ち運んだり、その形の状態で流通に載せることは不可能である。
【０００６】
また、塩を型に入れて焼き固めした特許文献２の盛り塩では、乾燥後の塩の粒子間の結合力が弱いため、強く握ると崩壊してしまうという問題がある。また、着色したものでは、空気中の水分に触れることで、表面から色あせて行くという問題がある。
【０００７】
本発明は、塩の粒子間が強く結合し、型くずれしにくい成形盛り塩およびその製造方法を提供することを目的とする。
【０００８】
【課題を解決するための手段】
本発明の成形盛り塩は、塩１００質量部に対してミョウバンが０．０６から０．３質量部含まれ、所定の形状で成形されていることを特徴とする。
【０００９】
また本発明の成形盛り塩の製造方法は、塩１００質量部に対し、焼きミョウバン０．０６から０．３質量部と、水６質量部を準備し、前記水に前記焼きミョウバンをよく溶かした溶液に前記塩を混練し、成形型で成形した後、脱型して乾燥させることを特徴とする。
【００１０】
この場合、前記水に前記焼きミョウバンとともに着色料を添加して、着色された成形盛り塩を製造することができる。
【００１１】
本発明においては、焼きミョウバンを用いることで、塩の粒子間の結合力が大きくなり、型くずれしにくい成形盛り塩が得られる。焼きミョウバンが０．０６質量部未満であると盛り塩の型くずれをなくす効果が小さくなり、０．３質量部を超えると、室温では水に溶けにくくなる。
【００１２】
成形盛り塩に着色する場合は、食用着色料や水彩絵の具を使用してミョウバンとともに水に溶かすことで、色落ちを防ぐことができる。このとき、焼きミョウバンの量が０．３質量部を超えると、着色した水溶液が濁る（溶けにくい）ため、０．３質量部以下とした。
【００１３】
焼きミョウバンは、塩との相性がよく、塩の結晶粒子間を結合して固い成形盛り塩を製造できる。また焼きミョウバンは色を鮮やかに保ち、色落ちを防ぐとともに製品に撥水作用も持たせる。
【００１４】
【発明の実施の形態】
以下、本発明の実施の形態について説明する。
成形盛り塩の製造に際しては、以下のものを準備する。但し、以下は、家庭での製造を想定した分量であり、工場での大量生産に際しては、同じ割合の材料を準備する。
【００１５】
１．食塩（塩化ナトリウム  ＮａＣｌ）                            １ｋｇ
２．焼きミョウバン（硫酸アルミニウムカリウム  ＡｌＫ（ＳＯ４）２）２〜１０ｇ
３．水（Ｈ２Ｏ）                                              ２００ｃｃ
４．着色料（食用色素または水彩絵の具、ないし粉末パウダー絵の具、赤、黄、
緑、金、銀）個々に                                                ５ｇ
【００１６】
ここでは、着色した盛り塩を製造する場合について述べるが、白色（無着色）のときは、着色料を添加しないだけである。
【００１７】
まず、色水２００ｃｃを作る。水２００ｃｃに焼きミョウバンと着色料を入れ、よくかき混ぜて水溶液を作る。
【００１８】
焼きミョウバンは２〜１０ｇ、好ましくは５ｇを水、またはぬるま湯によく溶かし、濁らないようによくかき混ぜる。水に食塩と焼きミョウバンを直接混ぜても製品にはならない。これは、焼きミョウバンが水によく溶ける性質を持っているためである。焼きミョウバンの割合が１０ｇに近くなるとすぐには溶けにくいため、製品を作る前日にミョウバン水溶液を作っておき、１晩寝かせると、透明な水溶液が得られる。
【００１９】
以上のようにして出来たミョウバン水溶液２００ｃｃのうち、６０ｃｃを容器に取り、食塩（あら塩）１ｋｇを入れて水溶液と混練する。食塩には、製法によって、粒の細かいものと粗いものがあり、混ざり方が異なるので、５０ｃｃで調整して残りの１０ｃｃを加えてもよい。
【００２０】
水溶液と混練して濡れ砂状態になった塩を任意の形状の成形型に入れ、所定の形状に押し固めた後、成形型を抜き、成形状態の塩を５日〜２週間ぐらい自然放置して全体が固まるのを待つ。水が蒸発する間に、塩の粒子間にミョウバンの結晶粒子が入り込み、つなぎとなって固い成形盛り塩ができる。
【００２１】
加熱して水の蒸発を促進することも考えられるが、ミョウバンの結晶の成長を自然に任せるように、自然放置を原則とする。
【００２２】
着色料は、赤、黄、緑を単独で使用するか、適当に配合して、黄、オレンジ、ピンク、青、ロイヤルブルー、黄緑、緑、赤、紫等の、好みの色を出すことができる。あるいは、粉状パウダー絵の具を用いて、ゴールド、シルバーの色を付けることもできる。
【００２３】
固まった製品は、表面が固いため、成形状態のままでもいいが、表面に彫刻を施すこともできる。
【００２４】
着色した成形盛り塩は、風水によれば、住宅などの方角で決められた色があるので、異なる色の成形盛り塩をその方角の位置に置いて縁起物として使用することができる。
【００２５】
例えば白は、北や北東（鬼門）に飾ると効果が大きく、気を浄化する力を持つ「神聖な色」とされ、家相の悪い人、病気がちな人、孤独な人にパワーがある色とされている。
【００２６】
赤は、朝日の昇る東の包囲に飾ると効果が大きく、旺盛な活力、パイオニア、頭のひらめき、発展力、企画力、情熱、信頼、円満、縁談、人間関係向上などのようなパワーがある色とされている。
【００２７】
紫は、南の方位に飾ると効果が大きく、芸術、人気運、企画力、感性、気力、活力の増大、商売繁盛、事業成功など豊富なアイデアの源となる色とされている。
【００２８】
黄は、西の方位に飾ると効果が大きく、人を集め、お金を集める色として、昔から、中国やアジアの人々の日常生活で、大切な色とされている。
【００２９】
なお、盛り塩は、１日と１５日に取り替える習慣があるので、製品の保持期間は、開封後２週間とする。
本製品は、火には強いが、水や雨に濡れると徐々に表面がもろくなるので注意する。
大きな製品については自然乾燥するのに時間が掛かるが、表面が固いので、彫刻などの加工も可能である。
【００３０】
【発明の効果】
上述したように、本発明によれば、焼きミョウバンの水溶液で塩を混練して成形型で成形し、型を抜いて乾燥させるようにしたので、塩の粒子間がミョウバンの結晶により強く結合し、型くずれしにくい成形盛り塩を提供することができる。
水溶性の着色料もミョウバン水溶液によく溶けるため、各種の色の成形盛り塩を提供することができる。